(57)【要約】【課題】従来の１〜６段に設定されたキー配置、機能配置の入力装置では指をホームポジションに置いたまま入力できず、又ポインティングデバイス（マウス）と文字キーの間を交互に手を移動する必要が有る。そのため入力に時間が掛かり、入力ミスの原因になっていた。【解決手段】２個のＦｎキーを備えた入力装置の１〜４段に使用頻度の高い機能を設定し、１個又は２個のＦｎキーと該操作キーを同時押下することにより「０〜９、スクロール、画面の大小閉、お気に入り、次に進む、前に戻る、新しいウインドウで開く、クリック、使用頻度の高い記号」、ＣＤ、ＤＶＤの操作に使用のする「停止、再生、前のトラックへ、次のトラックへ」及び音量調節に使用のする「大きくする、小さくする、ミュート」のいずれかの機能をする。【選択図】　図１
2004013883.tif 000002
【特許請求の範囲】
【請求項１】
アルファベット２６文字が２、３、４段に割り当て設定され、且つ１個又は２個のＦｎキーを備えた文字入力装置（ここまでの文章をＢＡとする）において、１個又は２個のＦｎキーと３段の該操作キーの同時押下によって、「０（ゼロ）〜９」のいずれかの数字の機能をする文字入力装置。
【請求項２】
ＢＡにおいて、１個又は２個のＦｎキーと３段の該操作キーの同時押下によって、「上、下、左、右のスクロール」のいずれかの機能をする文字入力装置。
【請求項３】
ＢＡにおいて、１個又は２個のＦｎキーと２、３段の該操作キーの同時押下によって、「左クリック」又は「右クリック」の機能をする文字入力装置。
【請求項４】
ＢＡにおいて、１個又は２個のＦｎキーと４段の該操作キーの同時押下によって、「Ｆ１〜Ｆ１２」のいずれかの機能をする文字入力装置。
【請求項５】
ＢＡにおいて、１個又は２個のＦｎキーと３段の該操作キーの同時押下によって、「ピリオド、コンマ、読点、句点、アポストロフィ」のいずれかの機能をする文字入力装置。
【請求項６】
ＢＡにおいて、１個又は２個のＦｎキーと２、４段の該操作キーの同時押下によって、「画面の最大化、画面の最小化、画面を閉じる」のいずれかの機能をする文字入力装置。
【請求項７】
ＢＡにおいて、１個又は２個のＦｎキーと２、４段の該操作キーの同時押下によって、「お気に入り、次に進む、前に戻る、新しいウインドウで開く」のいずれかの機能をする文字入力装置。
【請求項８】
ＢＡにおいて、１個又は２個のＦｎキーと２、４段の該操作キーの同時押下によって、ＣＤ、ＤＶＤの操作に使用のする「停止、再生、前のトラックへ、次のトラックへ」及び音量調節に使用のする「大きくする、小さくする、ミュート」のいずれかの機能をする文字入力装置。
【請求項９】
ＢＡにおいて、Ｆｎキーがスペースキーの隣に設置された文字入力装置。
【請求項１０】
請求項１〜９記載のＦｎキーにおいて、２回連続して押下すると押下固定になり、前記状態で押下すると押下固定が解除される機能を備えた文字入力装置。
【請求項１１】
請求項１〜１０記載の機能を備えた文字入力装置。
【発明の詳細な説明】
【０００１】
【発明の属する技術分野】各種キー操作を行う文字入力装置で、電子機器に属するものである。
【０００２】
【従来の技術】＊ＱＷＥＲＴＹ配列の文字入力装置が一般に普及している、例えばキーボードにおいては０〜９の数字が５段、Ｆ１〜Ｆ１２が６段に設置されているためブラインドタッチでは入力が不正確になる、そして左右のクリックの機能がマウスに有るためマウスとキーボードを交互に使用する。
＊ＳＯＮＹのクリエ（ＰＤＡ）は０〜９の数字が４段に設定されている。
＊ノートパソコンではテンキーの数字が７、８、９、Ｕ、Ｉ、Ｏ、Ｊ、Ｋ、Ｌ、Ｍの４つの段に設定されている。
＊特許公開平８−２８６７８９では、左右のクリックがＦ、Ｊのキーに設定されている、方法はポインティングデバイスにセンサーを付け「ＯＮ」の時はＦ、Ｊはクリックの機能であり、「ＯＦＦ」の時はＦ、Ｊの機能である。
＊「ピリオド、コンマ、読点、句点、アポストロフィ」は２〜４段に設定されている。
＊ショットカットキーでは、ＡＬＴ＋右矢印で「次に進む」の機能である、ＡＬＴ＋スペースでタイトルバーをアクティブした後にＮで「画面の最小化」、Ｘで「画面の最大化」、Ｃで「画面を閉じる」の機能である。
＊「お気に入り」はメニューバーをクリックすることにより機能する。
＊「次に進む」、「前に戻る」、「新しいウインドウで開く」はツールバーをクリックする又はマウスの右クリックでメニューを表示した後Ｏ（次に進む）、Ｂ（前に戻る）、Ｎ（新しいウインドウで開く）をクリックで機能する、又は「お気に入り」、「次に進む」、「前に戻る」は使用頻度が高いため１〜６段の上側又は下側に操作キーが設置されている。
＊ＣＤ、ＤＶＤの操作、音量調節の操作キーは１〜６段の上側又は下側に設置されている。
以上のためホームポジションからの手の移動が多くブラインドタッチが中断するため入力が遅くなり、入力ミスの原因になっている。
【０００３】
【発明が解決しようとする課題】入力装置の１〜４段に使用頻度の高い機能を備える事により、左右の手をホームポジションに置いたまま入力出来る操作性のよい文字入力装置を提供する。
【０００４】
【課題を解決するための手段】２個のＦｎキーを設置し、１個又は２個のＦｎキーと該操作キーを同時押下する。
【０００５】
【発明の実施の形態】本明細書で使用の「段」及び「１〜４段」は水平方向の操作キーの並びであり、「１段」はスペースキーが設置された段であり「Ｑ〜Ｐ」は「４段」である。
ＱＷＥＲＴＹ配列の入力装置において、ポインティングデバイスはＹ、Ｕ、Ｉ、Ｏ、Ｐ、Ｈ、Ｊ、Ｋ、Ｌ、Ｎ、Ｍのキーを定位置より右に移動設定し、ＴとＹ、ＧとＨ、ＢとＮの間のキーに替えて設置する、これにより入力装置が横長にならない。
請求項１〜８の説明。１個又は２個のＦｎキーと定められた段の該操作キーの同時押下によって、「０（ゼロ）〜９、Ｆ１〜Ｆ１２、上下左右のスクロール、左右のクリック、ピリオド、コンマ、読点、句点、アポストロフィ、画面の最大化、画面の最小化、画面を閉じる、お気に入り、次に進む、前に戻る、新しいウインドウで開く、（ＣＤ、ＤＶＤの操作に使用のする）停止、再生、前のトラックへ、次のトラックへ、（音量調節に使用のする）大きくする、小さくする、ミュート」のいずれかの機能をする。
請求項９の説明。スペースキーの隣にＦｎキーを設置する、Ｆｎキーが２個の場合は両隣に設置する。
請求項１０の説明。Ｆｎキーを２回連続して押下すると押下固定の設定がＯＮに成り、常にＦｎキーが押下状態に成る、もう１回押下するとＯＦＦに成る。押下固定はＦｎ１、Ｆｎ２、Ｆｎ１＋Ｆｎ２の３種類有る。
請求項１１の説明。請求項１〜１０記載の機能を文字入力装置に備える。
【０００６】
【実施例】図１は実施例である。図において、判りにくい記号は正方形で囲った。
＊キートップの説明。操作キーの「左上記載の機能」は単独の押下で機能する、「右下記載の機能」はＦｎ１と該操作キーの同時押下で機能する、「右上記載の機能」はＦｎ２と該操作キーの同時押下で機能する、「左下記載の機能」はＦｎ１とＦｎ２と該操作キーの３個のキーの同時押下で機能する。
＊例として「Ｇのキー」の説明をする。「Ｇ」は単独で押下、「右矢印」はＦｎ１とＧの同時押下、「？」はＦｎ２とＧの同時押下、「５」はＦｎ１とＦｎ２とＧの同時押下でそれぞれ機能する。
＊３段のＪのキーの右上の「コンマ付き左矢印」は「左スクロール」である。
＊４段のＱ〜Ｕのキーの左下記載の機能は、ＣＤ、ＤＶＤの操作に使用する「停止、再生、前のトラックへ、次のトラックへ」、及び音量調節に使用する「大きくする、小さくする、ミュート」である。４段のＯのキーの右上の「Ｗ小」は「画面を小さくする」で、Ｐのキーの「Ｗ大」は「画面を大きくする」である、２段の半濁点のキーの右上の「Ｗ閉」は「画面を閉じる」である、２段のＭのキーの右上の「新Ｗ」は「新しいウインドウで開く」である。
【０００７】
【発明の効果】＊数字がホームポジション＋Ｇ、Ｈのキーで入力できるため、手が小さくても容易に入力できる、キー間を１ｃｍとするとキーボードで０〜９の数字を入力すると指の移動距離は２０ｃｍであり、本発明では２ｃｍである。
＊「左右のクリック」が指をホームポジションに置いたまま、左手又は右手の人差し指で可能である。
＊例えば「コピー＆貼り付け」を行った場合、Ｆｎ１キーを押下固定の設定から、ＳＨＩＦＴ＋Ｇ（右矢印）で範囲指定、Ｖ（右クリック）でメニューの表示、Ｓ（下矢印）でメニューの選択、Ｆ（左クリック）で「コピー」の実行、ポインター移動、Ｆ（左クリック）でカーソル位置指定、Ｖ（右クリック）でメニューの表示、Ｓ（下矢印）でメニューの選択、Ｆ（左クリック）で「貼り付け」の実行が終了する、前記のＳ、Ｆ、Ｇ、Ｖのキーは左手のみでスピーディに入力できる。
＊Ｆｎ２の押下固定により、右手のみでインターネットサーフィンが可能である。
＊Ｆｎ１＋Ｆｎ２の押下固定により数字を３段のみで連続して入力できる。
＊ホームポジションの上１段と下２段の合計４段で入力でき、常に左右の手をホームポジションに置いたままタイピングが可能となり、入力装置の小型化（小さいノートパソコン等に、より大きなキーを設置できる）、入力時間の短縮、入力ミスの減少が可能である。
【図面の簡単な説明】
【図１】本発明の実施例
【図１】
2004013883.tif 000003